(57)【要約】【課題】  従来、タイムリーかつ効果的な権利化がなされないために学会発表等によって公知となり発明者および社会全体への価値の還元が困難となっている大学等の優れた発明をタイムリーかつ効果的に権利化することを可能とする。【解決手段】  文書寄与者または最初の出願者から提供された複数の論文および特許資料をプールする資料プール領域を含み、当該資料プール領域にプールした前記複数の論文および特許資料を予め登録された会員弁理士集団に対して開示し、当該会員弁理士集団は開示された前記複数の論文および特許資料の中から修正特許出願書類を作成する特定の発明を選択して修正特許出願書類を作成可能とすることを特徴とする。【選択図】        図１
2005149007.tif 000002
【特許請求の範囲】
【請求項１】
通信ネットワークで結ばれた端末およびサーバであって、
前記サーバが文書寄与者または最初の特許出願者から提供された複数の論文および特許資料をプールする資料プール領域を含み、
前記サーバが当該資料プール領域にプールした複数の前記論文および特許資料を予め登録された会員弁理士集団の認証を条件として前記論文および特許資料を閲覧可能とする資料提示段階と、
前記サーバが当該会員弁理士集団のいずれかの会員が複数の前記論文および特許資料の中から特定の論文および特許資料を選択入力して閲覧をしたことを記憶する閲覧情報記憶段階と、
前記サーバが前記閲覧をされた論文および特許資料の前記文書寄与者に対して当該論文および特許資料に基づいて修正特許出願用の明細書作成のための条件提示を促すか、
或いは、
前記サーバが前記論文および特許資料を閲覧した会員に対して当該論文および特許資料に基づいて修正特許出願用の明細書作成を行う条件提示を促す条件提示入力画面データを送出する条件提示待ち段階と、
前記サーバが前記条件提示入力画面データに基づく前記文書寄与者或いは前記会員による条件提示入力済みデータの受信をする条件受信段階と、
前記サーバが前記受信をされた条件提示入力済みデータに基づいて条件確認データを作成する確認データ作成段階と、
前記条件確認データを作成する基礎となった前記条件提示入力済みデータが前記文書寄与者からの受信データの場合、
前記サーバがその文書寄与者または最初の特許出願者の論文および特許資料を閲覧した前記会員に対して前記条件確認データを送信し、
又は、
前記条件確認データを作成する基礎となった前記条件提示入力済みデータが前記会員からの受信データの場合、
前記サーバがその会員が閲覧した論文および特許資料の提供者である前記文書寄与者に対して前記条件確認データの送信をする確認データ送信段階と、
前記サーバが前記送信をされた条件確認データに基づく条件承認データを前記文書寄与者又は前記会員から受信した場合には、
前記サーバが前記条件提示入力済みデータの提供者である前記文書寄与者又は前記会員に対して提示した条件で合意された旨を通知する条件合意通知段階とを含むことを特徴とする明細書作成者オークション方法を実行するサーバ。
【請求項２】
前記条件受信段階において前記サーバが前記論文および特許資料を閲覧した会員による修正特許明細書データを受信し、
前記確認データ送信段階において前記条件確認データを作成する基礎となった前記条件提示入力済みデータが前記会員からの受信データの場合、
前記サーバがその会員が閲覧した論文および特許資料の提供者である前記文書寄与者に対して前記修正特許明細書データを送信することを特徴とする明細書作成者オークション方法を実行する請求項１に記載のサーバ。
【請求項３】
前記条件受信段階において前記サーバが前記論文および特許資料を閲覧した会員によるコメントデータを受信し、
前記確認データ送信段階において前記条件確認データを作成する基礎となった前記条件提示入力済みデータが前記会員からの受信データの場合、
前記サーバがその会員が閲覧した論文および特許資料の提供者である前記文書寄与者に対して前記コメントデータを送信することを特徴とする明細書作成者オークション方法を実行する請求項１に記載のサーバ。
【請求項４】
通信ネットワークで結ばれた端末およびサーバを使用して、
前記サーバが文書寄与者または最初の特許出願者から提供された複数の論文および特許資料をプールする資料プール領域を含み、
前記サーバに当該資料プール領域にプールした複数の前記論文および特許資料を予め登録された会員弁理士集団の認証を条件として前記論文および特許資料を閲覧可能とさせる資料提示段階と、
前記サーバに当該会員弁理士集団のいずれかの会員が複数の前記論文および特許資料の中から特定の論文および特許資料を選択入力して閲覧したことを記憶させる閲覧情報記憶段階と、
前記サーバに前記閲覧された論文および特許資料の前記文書寄与者に対して当該論文および特許資料に基づいて修正特許出願用の明細書作成のための条件提示を促させるか、
或いは、
前記サーバに前記論文および特許資料を閲覧した会員に対して当該論文および特許資料に基づいて修正特許出願用の明細書作成を行う条件提示を促す条件提示入力画面データを送出させる条件提示待ち段階と、
前記サーバに前記条件提示入力画面データに基づく前記文書寄与者或いは前記会員による条件提示入力済みデータの受信をさせる条件受信段階と、
前記サーバに前記受信をされた条件提示入力済みデータに基づいて条件確認データを作成させる確認データ作成段階と、
前記条件確認データを作成させる基礎となった前記条件提示入力済みデータが前記文書寄与者からの受信データの場合、
前記サーバにその文書寄与者または最初の特許出願者の論文および特許資料を閲覧した前記会員に対して前記条件確認データを送信させ、
又は、
前記条件確認データを作成させる基礎となった前記条件提示入力済みデータが前記会員からの受信データの場合、
前記サーバにその会員が閲覧した論文および特許資料の提供者である前記文書寄与者に対して前記条件確認データの送信をさせる確認データ送信段階と、
前記送信をされた条件確認データに基づく条件承認データを前記文書寄与者又は前記会員から受信した場合には、
前記サーバに前記条件提示入力済みデータの提供者である前記文書寄与者又は前記会員に対して提示した条件で合意された旨を通知させる条件合意通知段階とを含むことを特徴とする明細書作成者オークション方法を前記サーバに実行させるプログラム。
【請求項５】
前記条件受信段階において前記サーバに前記論文および特許資料を閲覧した会員による修正特許明細書データを受信させ、
前記確認データ送信段階において前記条件確認データを作成する基礎となった前記条件提示入力済みデータが前記会員からの受信データの場合、
前記サーバにその会員が閲覧した論文および特許資料の提供者である前記文書寄与者に対して前記修正特許明細書データを送信させることを特徴とする明細書作成者オークション方法を前記サーバに実行させる請求項４に記載のプログラム。
【請求項６】
前記条件受信段階において前記サーバに前記論文および特許資料を閲覧した会員によるコメントデータを受信させ、
前記確認データ送信段階において前記条件確認データを作成する基礎となった前記条件提示入力済みデータが前記会員からの受信データの場合、
前記サーバにその会員が閲覧した論文および特許資料の提供者である前記文書寄与者に対して前記コメントデータを送信させることを特徴とする明細書作成者オークション方法を前記サーバに実行させる請求項４に記載のプログラム。
【請求項７】
通信ネットワークで結ばれた端末およびサーバを使用して、
前記サーバが文書寄与者または最初の特許出願者から提供された複数の論文および特許資料をプールする資料プール領域を含み、
前記サーバが当該資料プール領域にプールした複数の前記論文および特許資料を予め登録された会員弁理士集団の認証を条件として前記論文および特許資料を閲覧可能とする資料提示段階と、
前記サーバが当該会員弁理士集団のいずれかの会員が複数の前記論文および特許資料の中から特定の論文および特許資料を選択入力して閲覧をしたことを記憶する閲覧情報記憶段階と、
前記サーバが前記閲覧をされた論文および特許資料の前記文書寄与者に対して当該論文および特許資料に基づいて修正特許出願用の明細書作成のための条件提示を促すか、
或いは、
前記サーバが前記論文および特許資料を閲覧した会員に対して当該論文および特許資料に基づいて修正特許出願用の明細書作成を行う条件提示を促す条件提示入力画面データを送出する条件提示待ち段階と、
前記サーバが前記条件提示入力画面データに基づく前記文書寄与者或いは前記会員による条件提示入力済みデータの受信をする条件受信段階と、
前記サーバが前記受信をされた条件提示入力済みデータに基づいて条件確認データを作成する確認データ作成段階と、
前記条件確認データを作成する基礎となった前記条件提示入力済みデータが前記文書寄与者からの受信データの場合、
前記サーバがその文書寄与者または最初の特許出願者の論文および特許資料を閲覧した前記会員に対して前記条件確認データを送信し、
又は、
前記条件確認データを作成する基礎となった前記条件提示入力済みデータが前記会員からの受信データの場合、
前記サーバがその会員が閲覧した論文および特許資料の提供者である前記文書寄与者に対して前記条件確認データの送信をする確認データ送信段階と、
前記サーバが前記送信をされた条件確認データに基づく条件承認データを前記文書寄与者又は前記会員から受信した場合には、
前記サーバが前記条件提示入力済みデータの提供者である前記文書寄与者又は前記会員に対して提示した条件で合意された旨を通知する条件合意通知段階とを含むことを特徴とする明細書作成者オークション方法。
【請求項８】
前記条件受信段階において前記サーバが前記論文および特許資料を閲覧した会員による修正特許明細書データを受信し、
前記確認データ送信段階において前記条件確認データを作成する基礎となった前記条件提示入力済みデータが前記会員からの受信データの場合、
前記サーバがその会員が閲覧した論文および特許資料の提供者である前記文書寄与者に対して前記修正特許明細書データを送信することを特徴とする請求項７に記載の明細書作成者オークション方法。
【請求項９】
前記条件受信段階において前記サーバが前記論文および特許資料を閲覧した会員によるコメントデータを受信し、
前記確認データ送信段階において前記条件確認データを作成する基礎となった前記条件提示入力済みデータが前記会員からの受信データの場合、
前記サーバがその会員が閲覧した論文および特許資料の提供者である前記文書寄与者に対して前記コメントデータを送信することを特徴とする請求項７に記載の明細書作成者オークション方法。
【発明の詳細な説明】
【技術分野】
【０００１】
この発明は、インターネット等の通信ネットワークを通じて、自ら為した発明に関する論文発表および特許出願を行った発明者たる文書寄与者または最初の出願者が、当該特許出願のプロ集団である会員に対して前記発明に関する論文および特許資料を開示し、前記会員のオークションによって前記文書寄与者および前記会員に所定のサービスを提供する明細書作成者オークション方法、当該方法が実行可能なサーバ、および当該方法をサーバに実行させるプログラムに関する。
【背景技術】
【０００２】
従来から大学等の研究機関において研究者が発明を為した場合、当該研究者は専ら学会等で当該発明を論文として発表し、特許出願によって権利化することはあまり積極的に行ってこなかった。
【０００３】
一方、近年では政府による知的財産戦略推進計画や大学等の独立行政法人化の動きに伴い、いくつかの大学等の研究機関において技術移転機関が設置され、当該技術移転機関に所属あるいは契約している弁理士によって、大学等の研究者の為した発明に基づく特許出願が行われるようになってきた。
【０００４】
しかしながら、大学等の研究機関においては技術分野が広範囲にわたりかつ同一技術分野でのまとまった数の発明が行われないために、技術移転機関が設置されていたとしても当該技術移転機関に所属あるいは契約している限られた数の弁理士等の専門家ではすべての技術分野には対応できず、結果として十分な発明分析や明細書の推敲を伴わない質の悪い特許出願が為されることも多い。
【０００５】
ところで、料金面については、大学等の研究機関が特許事務所に出願事務を委託する際に、明細書の品質内容にかかわらず値引きやボランティアを求めるケースが多くあり、特許事務所内で、大学等の研究機関の出願案件の優先順位が低くなりがちであるという問題もある。結果として、手続の遅れや質の低下が起こりやすくなり、大学等の研究機関と特許事務所の間に、中長期的に良好な関係を築く障害となっている。
【０００６】
一方、近年では国民に対するサービスの向上を目的として、政府による専門家を増やす試みにより、弁理士等の専門家の数が増加しつつある。
【０００７】
しかしながら、前記専門家が得意とする技術分野はまちまちであり、特に最近資格を取得した営業力や顧客との既存のリレーションを持たない若い弁理士にとっては自らのスキルにフィットした発明案件にめぐり合うことは物理的・経済的に困難となっている。
【特許文献１】特開２００２−２６９３９９号公報
【発明の開示】
【発明が解決しようとする課題】
【０００８】
以上のように、大学等の研究機関において研究者が為した発明の権利が、質の悪い特許出願によって的確に保護されず、結果として優れた発明が世に出ることなく埋もれてしまうことも多い。
【０００９】
また、数が増えつつある前記弁理士等の専門家が、自らのスキルにフィットした発明案件に効率的にめぐり合えず、結果として国民へのサービスを向上させるという目的が達成されないことも多い。
【００１０】
この発明では、このような問題に鑑み、必ずしも質の高い特許出願が行われていない大学等の研究機関における研究者の為した発明であっても、当該発明が属する技術分野にフィットしたスキルを持つ会員弁理士が当該特許出願にかかる明細書の補正を行って品質を向上させることができる環境を提供することによって、優れた発明が埋もれることなく世に出てくることを可能とするとともに、出願手続の料金面についても大学等の研究機関が品質の高い明細書作成に対して納得の上で正当な対価を支払うことを可能とし、もって両者の間に中長期的に良好な関係を築くことが可能になるシステムを提供することを目的としている。
【課題を解決するための手段】
【００１１】
以上のような目的を達成するために、本発明においては文書寄与者たる大学等の研究機関の研究者が書いた論文と、最初の出願者たる技術移転機関に所属または契約している弁理士が書いた特許資料を、インターネット等の通信ネットワークを介してアクセスして閲覧可能なサーバに、ランダムに取り出すことが可能なようにデータベース化して記憶し、この記憶された論文および特許資料を弁理士集団としての会員に開示することによって、質の悪い特許出願によって世に出ることなく埋もれてしまうような発明を、前記会員が可及的に明細書を補正できるような環境を提供する。
【００１２】
より具体的には、この発明では以下のようなものを提供する。第１の発明は、「通信ネットワークで結ばれた端末およびサーバであって、前記サーバが文書寄与者または最初の特許出願者から提供された複数の論文および特許資料をプールする資料プール領域を含み、前記サーバが当該資料プール領域にプールした複数の前記論文および特許資料を予め登録された会員弁理士集団の認証を条件として前記論文および特許資料を閲覧可能とする資料提示段階と、前記サーバが当該会員弁理士集団のいずれかの会員が複数の前記論文および特許資料の中から特定の論文および特許資料を選択入力して閲覧をしたことを記憶する閲覧情報記憶段階と、前記サーバが前記閲覧をされた論文および特許資料の前記文書寄与者に対して当該論文および特許資料に基づいて修正特許出願用の明細書作成のための条件提示を促すか、或いは、前記サーバが前記論文および特許資料を閲覧した会員に対して当該論文および特許資料に基づいて修正特許出願用の明細書作成を行う条件提示を促す条件提示入力画面データを送出する条件提示待ち段階と、前記サーバが前記条件提示入力画面データに基づく前記文書寄与者或いは前記会員による条件提示入力済みデータの受信をする条件受信段階と、前記サーバが前記受信をされた条件提示入力済みデータに基づいて条件確認データを作成する確認データ作成段階と、前記条件確認データを作成する基礎となった前記条件提示入力済みデータが前記文書寄与者からの受信データの場合、前記サーバがその文書寄与者または最初の特許出願者の論文および特許資料を閲覧した前記会員に対して前記条件確認データを送信し、又は、前記条件確認データを作成する基礎となった前記条件提示入力済みデータが前記会員からの受信データの場合、前記サーバがその会員が閲覧した論文および特許資料の提供者である前記文書寄与者に対して前記条件確認データの送信をする確認データ送信段階と、前記サーバが前記送信をされた条件確認データに基づく条件承認データを前記文書寄与者又は前記会員から受信した場合には、前記サーバが前記条件提示入力済みデータの提供者である前記文書寄与者又は前記会員に対して提示した条件で合意された旨を通知する条件合意通知段階とを含むことを特徴とする明細書作成者オークション方法を実行するサーバ。」である。
【００１３】
この第１の発明によれば、世に出ずに埋もれてしまう可能性のあった発明を、スキルの高い弁理士等の会員が、適宜明細書を補正することによって出願の質を向上させることが可能となる。
【００１４】
また第２の発明は、「前記条件受信段階において前記サーバが前記論文および特許資料を閲覧した会員による修正特許明細書データを受信し、前記確認データ送信段階において前記条件確認データを作成する基礎となった前記条件提示入力済みデータが前記会員からの受信データの場合、前記サーバがその会員が閲覧した論文および特許資料の提供者である前記文書寄与者に対して前記修正特許明細書データを送信することを特徴とする明細書作成者オークション方法を実行する請求項１に記載のサーバ。」である。
【００１５】
この第２の発明によれば、前記文書寄与者たる大学等の研究機関の研究者が、前記会員たる弁理士等が書いた当該発明に関する修正特許明細書の内容を閲覧することによって当該弁理士のスキルレベルを確認した上で、実際に修正を依頼する弁理士を選択することが可能となる。
【００１６】
また第３の発明は、「前記条件受信段階において前記サーバが前記論文および特許資料を閲覧した会員によるコメントデータを受信し、前記確認データ送信段階において前記条件確認データを作成する基礎となった前記条件提示入力済みデータが前記会員からの受信データの場合、前記サーバがその会員が閲覧した論文および特許資料の提供者である前記文書寄与者に対して前記コメントデータを送信することを特徴とする明細書作成者オークション方法を実行する請求項１に記載のサーバ。」である。
【００１７】
この第３の発明によれば、前記文書寄与者たる大学等の研究機関の研究者が、前記会員たる弁理士等が書いた当該発明に関するコメントの内容を閲覧することによって当該弁理士のスキルレベルを確認した上で、実際に修正を依頼する弁理士を選択することが可能となる。
【００１８】
また第４の発明は、「通信ネットワークで結ばれた端末およびサーバを使用して、前記サーバが文書寄与者または最初の特許出願者から提供された複数の論文および特許資料をプールする資料プール領域を含み、前記サーバに当該資料プール領域にプールした複数の前記論文および特許資料を予め登録された会員弁理士集団の認証を条件として前記論文および特許資料を閲覧可能とさせる資料提示段階と、前記サーバに当該会員弁理士集団のいずれかの会員が複数の前記論文および特許資料の中から特定の論文および特許資料を選択入力して閲覧したことを記憶させる閲覧情報記憶段階と、前記サーバに前記閲覧された論文および特許資料の前記文書寄与者に対して当該論文および特許資料に基づいて修正特許出願用の明細書作成のための条件提示を促させるか、或いは、前記サーバに前記論文および特許資料を閲覧した会員に対して当該論文および特許資料に基づいて修正特許出願用の明細書作成を行う条件提示を促す条件提示入力画面データを送出させる条件提示待ち段階と、前記サーバに前記条件提示入力画面データに基づく前記文書寄与者或いは前記会員による条件提示入力済みデータの受信をさせる条件受信段階と、前記サーバに前記受信をされた条件提示入力済みデータに基づいて条件確認データを作成させる確認データ作成段階と、前記条件確認データを作成させる基礎となった前記条件提示入力済みデータが前記文書寄与者からの受信データの場合、前記サーバにその文書寄与者または最初の特許出願者の論文および特許資料を閲覧した前記会員に対して前記条件確認データを送信させ、又は、前記条件確認データを作成させる基礎となった前記条件提示入力済みデータが前記会員からの受信データの場合、前記サーバにその会員が閲覧した論文および特許資料の提供者である前記文書寄与者に対して前記条件確認データの送信をさせる確認データ送信段階と、前記送信をされた条件確認データに基づく条件承認データを前記文書寄与者又は前記会員から受信した場合には、前記サーバに前記条件提示入力済みデータの提供者である前記文書寄与者又は前記会員に対して提示した条件で合意された旨を通知させる条件合意通知段階とを含むことを特徴とする明細書作成者オークション方法を前記サーバに実行させるプログラム。」である。
【００１９】
この第４の発明によれば、記述した第１の発明と同様の効果を期待できる。
【００２０】
また第５の発明は、「前記条件受信段階において前記サーバに前記論文および特許資料を閲覧した会員による修正特許明細書データを受信させ、前記確認データ送信段階において前記条件確認データを作成する基礎となった前記条件提示入力済みデータが前記会員からの受信データの場合、前記サーバにその会員が閲覧した論文および特許資料の提供者である前記文書寄与者に対して前記修正特許明細書データを送信させることを特徴とする明細書作成者オークション方法を前記サーバに実行させる請求項４に記載のプログラム。」である。
【００２１】
この第５の発明によれば、記述した第２の発明と同様の効果を期待できる。
【００２２】
また第６の発明は、「前記条件受信段階において前記サーバに前記論文および特許資料を閲覧した会員によるコメントデータを受信させ、前記確認データ送信段階において前記条件確認データを作成する基礎となった前記条件提示入力済みデータが前記会員からの受信データの場合、前記サーバにその会員が閲覧した論文および特許資料の提供者である前記文書寄与者に対して前記コメントデータを送信させることを特徴とする明細書作成者オークション方法を前記サーバに実行させる請求項４に記載のプログラム。」である。
【００２３】
この第６の発明によれば、記述した第３の発明と同様の効果を期待できる。
【００２４】
また第７の発明は、「通信ネットワークで結ばれた端末およびサーバを使用して、前記サーバが文書寄与者または最初の特許出願者から提供された複数の論文および特許資料をプールする資料プール領域を含み、前記サーバが当該資料プール領域にプールした複数の前記論文および特許資料を予め登録された会員弁理士集団の認証を条件として前記論文および特許資料を閲覧可能とする資料提示段階と、前記サーバが当該会員弁理士集団のいずれかの会員が複数の前記論文および特許資料の中から特定の論文および特許資料を選択入力して閲覧をしたことを記憶する閲覧情報記憶段階と、前記サーバが前記閲覧をされた論文および特許資料の前記文書寄与者に対して当該論文および特許資料に基づいて修正特許出願用の明細書作成のための条件提示を促すか、或いは、前記サーバが前記論文および特許資料を閲覧した会員に対して当該論文および特許資料に基づいて修正特許出願用の明細書作成を行う条件提示を促す条件提示入力画面データを送出する条件提示待ち段階と、前記サーバが前記条件提示入力画面データに基づく前記文書寄与者或いは前記会員による条件提示入力済みデータの受信をする条件受信段階と、前記サーバが前記受信をされた条件提示入力済みデータに基づいて条件確認データを作成する確認データ作成段階と、前記条件確認データを作成する基礎となった前記条件提示入力済みデータが前記文書寄与者からの受信データの場合、前記サーバがその文書寄与者または最初の特許出願者の論文および特許資料を閲覧した前記会員に対して前記条件確認データを送信し、又は、前記条件確認データを作成する基礎となった前記条件提示入力済みデータが前記会員からの受信データの場合、前記サーバがその会員が閲覧した論文および特許資料の提供者である前記文書寄与者に対して前記条件確認データの送信をする確認データ送信段階と、前記サーバが前記送信をされた条件確認データに基づく条件承認データを前記文書寄与者又は前記会員から受信した場合には、前記サーバが前記条件提示入力済みデータの提供者である前記文書寄与者又は前記会員に対して提示した条件で合意された旨を通知する条件合意通知段階とを含むことを特徴とする明細書作成者オークション方法。」である。
【００２５】
この第７の発明によれば、記述した第１の発明と同様の効果を期待できる。
【００２６】
また第８の発明は、「前記条件受信段階において前記サーバが前記論文および特許資料を閲覧した会員による修正特許明細書データを受信し、前記確認データ送信段階において前記条件確認データを作成する基礎となった前記条件提示入力済みデータが前記会員からの受信データの場合、前記サーバがその会員が閲覧した論文および特許資料の提供者である前記文書寄与者に対して前記修正特許明細書データを送信することを特徴とする請求項７に記載の明細書作成者オークション方法。」である。
【００２７】
この第８の発明によれば、記述した第２の発明と同様の効果を期待できる。
【００２８】
また第９の発明は、「前記条件受信段階において前記サーバが前記論文および特許資料を閲覧した会員によるコメントデータを受信し、前記確認データ送信段階において前記条件確認データを作成する基礎となった前記条件提示入力済みデータが前記会員からの受信データの場合、前記サーバがその会員が閲覧した論文および特許資料の提供者である前記文書寄与者に対して前記コメントデータを送信することを特徴とする請求項７に記載の明細書作成者オークション方法。」である。
【００２９】
この第９の発明によれば、記述した第３の発明と同様の効果を期待できる。
【発明の効果】
【００３０】
以上説明した、この発明によれば、必ずしも質の高い特許出願が行われていない大学等の研究機関における研究者の為した発明であっても、当該発明が属する技術分野にフィットしたスキルを持つ会員弁理士が当該特許出願にかかる明細書の補正を行って品質を向上させることができる環境を提供することによって、優れた発明が可及的に埋もれることなく世に出てくることを可能とすることができる。
【発明を実施するための最良の形態】
【００３１】
以下、本発明を実施するための最良の形態について図を参照しながら説明する。
【００３２】
（構想）図を参照して本発明を実施するための最良の形態について説明する前に、本発明の構想について以下に説明する。
【００３３】
たとえば、大学等の研究機関に所属あるいは契約している弁理士（以下最初の出願者という。）が当該研究機関の研究者（以下文書寄与者という。）が為した発明を特許出願する際に、学会への発表原稿（以下論文という。）および出願時に作成した特許出願書類（以下特許資料という。）をサーバにストックする。そして、秘密保持義務を負った複数の弁理士（あらかじめ登録された会員（弁理士会員）とする。以下会員弁理士という。）が、当該ストックされた論文および特許資料を見て、補正の余地があって自らのスキルにあった論文および特許資料を選択し、修正を施した特許明細書（以下修正特許明細書という。）あるいは修正ポイントを指摘したコメント（以下コメントという。）を作成して、手数料等の条件（以下明細書修正条件という。）と共に前記サーバに入力する。文書寄与者は入力された明細書修正条件に基づいて会員弁理士を選択し、特許の修正出願を行う。この際、会員弁理士が、いつ、どのような修正明細書、コメント、明細書修正条件（以下入札情報という）を入力するかは会員弁理士の裁量に任せる。文書寄与者は入力された当該入札情報に基づいて適当なタイミングで会員弁理士を選択できるので、会員弁理士にとっては可及的に迅速に良い条件を入力するというインセンティブが働き、結果として文書寄与者は質の高い特許の修正出願を行うことが可能となるからである。
【００３４】
以下、上述した構想を実現するための前提となる通信ネットワークシステムについて図を参照して説明する。
【００３５】
図１は本発明に係るインターネット等の通信ネットワークを用いた明細書作成者オークション方法、当該方法が実行可能なサーバ、および当該方法をサーバに実行させるプログラムを適用したネットワークシステム１の構成を示すブロック図である。この図１に示すネットワークシステム１において、インターネット網２に対して不特定多数のユーザが所有するパーソナルコンピュータ３が接続されるようになされている。
【００３６】
前記パーソナルコンピュータ３は、インターネット網２を介して、インターネット網２に接続されているサーバ４Ａまたは４Ｂからさまざまな情報を取得し、あるいは前記サーバ４Ａまたは４Ｂに様々な情報を送信することができる。
【００３７】
この発明における通信回線網とは、前記インターネット網２あるいはデータを送受信できる通信回線網であれば何でも採用することができる。
【００３８】
また、この発明における端末とは、前記パーソナルコンピュータ３あるいはその他の表示画面つき端末であれば何でも採用することができる。
【００３９】
さらに、この発明におけるインターネット等の通信ネットワークを用いた明細書作成者オークション方法が実行可能なサーバは、サーバ４（サーバ４Ａ、４Ｂ）がこれに相当する。
【００４０】
図２は、ユーザが所有する端末としてのパーソナルコンピュータ３の構成を示すブロック図である。この図２に示されるように、パーソナルコンピュータ３は、データバスに接続された制御手段としてのＣＰＵ２１、メモリあるいはハードディスク等の記憶部２２、モデム等の通信インターフェイス部２３、ＣＲＴや液晶等の表示部２４、ならびに入力手段としてのキーボード２５とから構成されており、前記ＣＰＵ２１は、記憶部２２内に格納されたインターネットエクスプローラなどの通信プログラムによって、前記通信インターフェイス部２３を介して前記サーバ４と通信回線網を通じて接続される。この接続された状態で、前記パーソナルコンピュータ３は、サーバ４によって提供されるさまざまなサービスの提供を受けることができる。
【００４１】
図３は、サーバ４の構成を示すブロック図である。この図３に示されるように、サーバ４は、データバスに接続されたＣＰＵ３１、メモリ３２、通信インターフェイス部３３ならびにデータベース３４を有し、ＣＰＵ３１はメモリ３２に格納されている制御プログラムに従って様々な処理を実行するようになされている。すなわち、ＣＰＵ３１は、通信インターフェイス部３３によって接続されたインターネット網２を介して送信されるパーソナルコンピュータ３・・・からの入力情報を受け取り、これをメモリ３２に格納する。
【００４２】
一方、ＣＰＵ３１は、条件提示入力画面データや論文のデータなどを前記データベース３４やメモリ３２から抽出して出力情報を作成し、これを通信インターフェイス部３３によって接続されたインターネット網２を介してパーソナルコンピュータ３・・・に送信する。前記データベース３４の一部には、複数の論文データおよび特許資料データをプール（記憶し格納）する資料プール領域を有しており、この資料プール領域に記憶された電子情報に基づいて発明掲示データが作成されている。
【００４３】
前記論文データおよび特許資料データは、所定のフォームで文書寄与者および最初の出願者から提示された複数の論文データおよび特許資料データを、ランダムに前記資料プール領域から抽出可能な形式で記憶されている。この記憶させる方式は、書面でサーバ４側に送付された論文および特許資料をサーバ４の管理者が所定のフォームにイメージまたは所定の文書入力により記憶させる方式と、前記インターネット網２等の通信回線網を通じてオンラインで前記文書寄与者および最初の出願者の端末（パーソナルコンピュータ３）から転送する方式など、任意に採用することができる。
【００４４】
また、前記データベース３４には、図３の会員情報内に、複数の会員弁理士集団としての個々の会員の個人情報が記憶されており、個人情報として記憶されたＩＤコード（会員コード）やパスワードを使用してサーバ４がまず認証作業を行った後に、データベース３４内に記憶された論文データおよび特許資料データが閲覧可能となるようにしている。
【００４５】
前記制御プログラムとＣＰＵ３１とにより、この実施の形態の制御部を形成し、当該制御プログラムは、少なくとも前記会員が真正な会員かどうかを認証する認証作業プログラム、前記複数の論文および特許資料の中からキーワード検索等で検索を行うための検索プログラムを含んでいる。
【００４６】
メモリ３２には、当該サーバ４に端末（パーソナルコンピュータ３）がアクセスした場合に端末（パーソナルコンピュータ３）側に送信するデフォルト画面情報（メニュー選択画面情報）や条件提示画面情報を含む論文および発明投稿画面情報などの各種入力画面情報が記憶されている。そしてメモリ３２は、前記論文を提供する文書寄与者、特許資料を提供する最初の出願者、あるいは会員弁理士の所有するパーソナルコンピュータ３・・・から受信する電子データが一時格納記憶されるのに供される。前記電子データとしては、文書寄与者の論文に係る文字情報など、最初の出願者の特許資料に係る文字情報などや、前記文書寄与者または会員弁理士から送信される条件提示入力済みデータ、あるいは当該条件提示入力済みデータに応じた条件確認データの文字情報などが相当する。
【００４７】
次に、図４乃至図１０を参照しつつ、本発明を適用したインターネット等の通信ネットワーク用いた明細書作成者オークション方法の流れについて説明する。
【００４８】
まず、前記端末（パーソナルコンピュータ３）を使用してインターネット等の通信ネットワークを用いた明細書作成者オークション方法が実行可能なサーバ４に接続すると図５に示すメニュー選択画面Ａが端末（パーソナルコンピュータ３）に対して送信され、各端末（パーソナルコンピュータ３）にメニュー選択画面Ａが表示される（図４参照）（ステップＳ１）。
【００４９】
ステップＳ１のメニュー選択画面Ａが端末（パーソナルコンピュータ３）に表示されると、次に端末（パーソナルコンピュータ３）からの入力信号が送信されるのを待つ。
【００５０】
［「会員登録したい」が選択された場合］
「会員登録したい」が選択されるとサーバ４はデータベース３４から図６の会員登録画面Ｂの電子データが端末（パーソナルコンピュータ３）に送信される（ステップＳ２）。
【００５１】
そして、図６の会員登録画面Ｂが端末（パーソナルコンピュータ３）の表示部２４に表示されると、「発明者として登録」、「弁理士として登録」の何れの登録を行うかの入力がキーボード２５で行われるのを待つ。
【００５２】
「発明者として登録」が選択された場合には、図７の発明者会員登録画面Ｃを送信し（ステップＳ３）、「弁理士として登録」が選択された場合には、図８の弁理士会員登録画面Ｄを送信する（ステップＳ４）制御を前記制御プログラムによりＣＰＵ３１が行う。
【００５３】
そして、この実施形態では、図示して説明することは行わないが、会員の種類ごとに作成した会員規約を表示させて、同意することによりオンライン上で機密保持等の必要な契約の締結を行うようにしている。
【００５４】
上記前記Ｃ、Ｄの会員登録画面がすべて適正に入力されたことをＣＰＵ３１が制御プログラムに基づいて判定した場合（ステップＳ５、Ｓ６）には、処理を終了する。この処理の終了と同時または後に、各会員に対して会員コードとパスワードがそれぞれのあらかじめ登録された端末（パーソナルコンピュータ３）またはその会員の住所に書面で送信される。
【００５５】
次に、図５のメニュー選択画面Ａに戻って、「（オークションの）内容を知りたい」が選択された場合について以下に説明する。
【００５６】
［「（オークションの）内容を知りたい」が選択された場合］
「（オークションの）内容を知りたい」が選択されると、サーバ４のＣＰＵ３１が制御プログラムの制御に基づいて、データベース３４から予め用意された本サイトのオークション内容説明画面送信の制御を行う（ステップＳ７）。
【００５７】
また、図５のメニユー選択画面Ａに戻って、「発明を探したい」が選択された場合が選択された場合について以下に説明する。
【００５８】
［「発明を探したい」が選択された場合］
「発明を探したい」が選択されると、サーバ４のＣＰＵ３１が制御プログラムの制御に基づいて、前述した認証プログラムによる認証が終了し、真正なユーザの端末（パーソナルコンピュータ３）からのアクセスであることを確認した上で、前記データベース３４の論文データおよび特許資料データを記憶した発明掲示データへのアクセスを許可し、前記ユーザの端末（パーソナルコンピュータ３）からアクセス要求があった場合に図９の発明掲示画面Ｅの送信の制御を行う（ステップＳ８）。
【００５９】
前記発明掲示画面Ｅを、会員として予め登録した弁理士集団としての会員に開示する。
【００６０】
発明掲示画面Ｅから明らかなように、夫々の発明の概要説明と併記した公開日（学会発表日）および特許出願日を記載するようにしている。この公開日（学会発表日）および特許出願日を弁理士集団としての会員が見て、修正を完了しなければならない期限を認知できるように配慮している。勿論、その開示が新規性の喪失の例外適用（特許法３０条）に該当する場合があるので、夫々の発表先も同時に併記することが好ましい。
【００６１】
次に、発明掲示画面Ｅの「詳細閲覧」のボタンスイッチを選択する（端末がパソコンの場合にはクリックする）と、この端末（パーソナルコンピュータ３）からの選択入力の受信をサーバ４が受けて、図１０に示す発明の内容をより詳細に説明する発明投稿画面Ｆを送信する。
【００６２】
この発明投稿画面Ｆには、発明の要約、添付書類（例えば、図面、データなど）、前記本発明内容の公開日（学会発表日）、および特許出願書類、出願日、並びに、特許明細書を修正する場合の希望条件を記載している。このような記載内容は、文書寄与者としてのユーザから予め文書や面談などによって情報収集したものを記載したものでも良いが、前記端末（パーソナルコンピュータ３）をサーバ４に対して接続し、オンライン上で上記記載内容を登録するように構成しても良い。この実施の形態ではオンライン上での登録を行うようにしている。
【００６３】
上記オンライン上での登録が、後で説明する［「発明を投稿したい」が選択された場合］である。
【００６４】
次に、図示しないが、発明投稿画面Ｆに記載された明細書修正条件等を、前記弁理士会員が見て、その明細書修正条件を受けるかどうかを検討し、修正明細書、コメントと共にサーバ４を介して相手先（文書寄与者）に返信するようにしている。この返信は、前記発明原稿画面Fに返信ボタンを形成し、当該返信ボタンを選択することにより、自動的にサーバ４を介してその発明原稿画面Ｆの投稿者である文書寄与者の端末（パーソナルコンピュータ３）に送信されるように構成している。
【００６５】
そして、最終的にお互いに同意された明細書修正条件は、前記制御プログラムによってＣＰＵ３１の制御により、自動的に編集されて最終契約書データとしてお互いの端末（パーソナルコンピュータ３）に送信して再確認するようにしている。
【００６６】
このように、この実施の形態では、サーバ４を第三者的な立場に置き、お互いの意向で明細書修正条件を作成してオークションが成立するように構成しているが、これに限らず予めサーバ４で標準的な明細書修正条件のフォームを作成しておき、その明細書修正条件でのオークションを行うことを予め全ての会員（文書寄与者も含む）に包括契約をサーバ４と前記会員との間で締結しておくようにすることもできる。
【００６７】
また、図５のメニユー選択画面Ａに戻って、「発明を投稿したい」が選択された場合が選択された場合について以下に説明する。
【００６８】
［「発明を投稿したい」が選択された場合］
「発明を投稿したい」が選択されると、サーバ４は、データベース３４から発明投稿画面データを抽出し、発明投稿画面Ｆの送信の制御を行う（ステップＳ９）。送信が終了すると、発明投稿画面Ｆが端末（パーソナルコンピュータ３）の表示部２４に表示され、この表示された発明投稿画面Ｆに基づいて文書寄与者としてのユーザ自身の入力により所定事項の入力が適正に入力された前記発明投稿画面Ｆをサーバ４で受信したことを契機にして、発明投稿画面Ｆの登録を完了する。この発明投稿画面Ｆの発明の要約が、前記制御プログラムに基づいたＣＰＵ３１の制御により、発明掲示画面Ｅの概要の欄に文字数を制限されて転用される。
【図面の簡単な説明】
【００６９】
【図１】ネットワークシステム１の構成を示すブロック図である。
【図２】パーソナルコンピュータ３の構成を示すブロック図である。
【図３】サーバ４の構成を示すブロック図である。
【図４】明細書作成者オークション方法のフローチャートの例を示す図である。
【図５】ステップＳ１で表示されるメニュー選択画面Ａの例を示す図である。
【図６】ステップＳ２で表示され会員登録画面Ｂの例を示す図である。
【図７】ステップＳ３で表示される発明者会員登録画面Ｃの例を示す図である。
【図８】ステップＳ４で表示される弁理士会員登録画面Ｄの例を示す図である。
【図９】ステップＳ７で表示される発明掲示画面Ｅの例を示す図である。
【図１０】ステップＳ８で表示される発明投稿画面Ｆの例を示す図である。
【符号の説明】
【００７０】
１      ネットワークシステム
２      インターネット網
３      パーソナルコンピュータ
４、４Ａ、４Ｂ    サーバ
２１    ＣＰＵ
２２    記憶部
２３    通信インターフェイス部（モデム）
２４    表示部
２５    キーボード
３１    ＣＰＵ
３２    メモリ
３３    通信インターフェイス部
３４    データベース
Ａ      メニュー選択画面
Ｂ      会員登録画面
Ｃ      発明者会員登録画面
Ｄ      弁理士会員登録画面
Ｅ      発明掲示画面
Ｆ      発明投稿画面
【図１】
2005149007.tif 000003
【図２】
2005149007.tif 000004
【図３】
2005149007.tif 000005
【図４】
2005149007.tif 000006
【図５】
2005149007.tif 000007
【図６】
2005149007.tif 000008
【図７】
2005149007.tif 000009
【図８】
2005149007.tif 000010
【図９】
2005149007.tif 000011
【図１０】
2005149007.tif 000012